(57)【要約】【課題】手動操作により駆動可能で、軽量な手動式ジューサー  【解決手段】収容ユニット２及び切削ユニット３、動力ユニット４で構成され、該収容ユニットは、果物や野菜など調理する食物を収容し、切削ユニットは、カッターを収容ユニット内に配置し、下方で駆動ユニットと接続する。動力ユニットは、上下手動操作するプッシュ部４１２を具え、プッシュ部の上下操作を動力部のネジと螺旋回転軸とにより回転運動に替えて切削ユニットのカッターを駆動する。【選択図】  図１
0003163608.tif 000002
【実用新案登録請求の範囲】
【請求項１】
果物・野菜などの調理対象を収容する収容ユニット２、調理対象をカッターで切削する切削ユニット３、切削ユニットを駆動する動力ユニット４からなり、
収容ユニット内に切削ユニットのカッターを配置すると共に切削ユニットと動力ユニットとの接続部を収容ユニットの底部に配置し、
動力ユニットは、上下操作するプッシュ部４１２による上下運動を回転駆動に替えて、収容ユニットを動力ユニット上に配置して動力ユニットと接続された切削ユニットを駆動することを特徴とする、手動式ジューサー。
【請求項２】
前記収容ユニットは、果物野菜など調理する食物を入れるカップ本体２１、カップ本体外側に設けた握り手２２、カップ本体開口を塞ぐ外蓋２３及びカップ本体底部に設けて動力ユニットに接続する接続台２４を具有し、
動力ユニット４上に該カップ本体を配置して嵌合して固定するようにしたことを特徴とする請求項１記載のジューサーの構造。
【請求項３】
前記切削ユニット３はカッター３２及び動力部と嵌合する嵌合部３１を具え、
前記カッターをカップ本体２１内に設置し、嵌合部３１は動力ユニット４と嵌合して連動することで、動力ユニット４によって切削ユニット３のカッター３２を回転・駆動し、カップ本体２１内の果物野菜など調理する食物を切削することを特徴とする請求項２記載のジューサーの構造。
【請求項４】
前記動力ユニット４は、カバー４０１、台座４０２、手動操作する駆動部品４１、第一歯車４２、第二歯車４３、スライドブロック４４、弾性部品４５、螺旋棒４６、回転棒４７、片方向ベアリング４８及びスタンド４９を具有し、
前記カバー４０１の片側にスリット４０３を設けて駆動部品４１を外部に通し、
カバー４０１と台座４０２を接続して収容スペースを形成して、駆動部品４１と第一歯車４２、第二歯車４３、スライドブロック４４、弾性部品４５、螺旋棒４６、回転棒４７、片方向ベアリング４８及びスタンド４９を収容し、
前記スタンド４９を台座４０２の端に近隣する位置に設置し、螺旋棒４６をカバー４０１と台座４０２の間に設置し、片端はスタンド４９と反対端の台座に位置し、
前記回転棒は同じくカバー４０１と台座４０２の間に設置し、スタンド４９と螺旋棒４６の間に位置し、該回転棒４７の頂部はカバー４０１を突き抜けて、片方向ベアリング４８と接続し、
前記片方向ベアリング４８は切削ユニット３の嵌合部３１と嵌合して連動し、
前記弾性部品を該螺旋棒の外側に設置し、該弾性部品の両端はそれぞれ該台座及び該スライドブロックと抵触し、
前記スライドブロック４４はブロック本体４４１、接続部４４２及びねじ穴４４３を具有し、該接続部４４２はブロック本体４４１からスタンド４９の片端に向けて、且つ駆動部品４１の軸方向と平行して伸び、ねじ穴４４３はブロック本体４４１のスタンド４９の反対側に垂直に設置し、スライドブロック４４はねじ穴４４３を使って螺旋棒４６に螺合すると共に弾性部品４５と接し、
前記駆動部品４１は、柄本体４１１及びプッシュ部４１２を具有し、柄本体４１１は接続端４１１１、穴４１１２、連接端４１１３及び凸ブロック４１１４を具有し、
前記接続端４１１１はピンBを介して回転可能にスタンド４９と接続すると共に回転棒４７を挿通し、
前記穴４１１２に螺旋棒４６を通し、同時にブロック本体４４１を柄４１１の穴４１１２の両サイドに抵触させ、連接端４１１３はカバー４０１のスリット４０３を通って外部のプッシュ部４１２と連結し、
前記凸ブロック４１１４は、スライドブロック４４の接続部４４２と相対して設置して互いに掛合し、
該第一歯車４２と第二歯車４３は互いに噛合して第一歯車４２の回転によって第二歯車４３も回転して、同時に回転棒４７が連動して回転し、
該回転棒４７の回転により切削ユニットの嵌合部３１を介してカッター３２の回転を駆動して果物野菜など調理する食物を切削するようにし、
前記第一歯車４２に螺旋棒４６を通して駆動部品４１の上方に位置させて該第一歯車４２を螺旋棒４６の回転に伴って回転させ、
前記第二歯車４３に回転棒４７を通して該第二歯車４３と回転棒４７を連動させ、該第一歯車と第二歯車は互いに噛合するようにしたことを特徴とする請求項３記載のジューサーの構造。
【請求項５】
前記第一歯車の半径は該第二歯車の半径より大きいことを特徴とする請求項４記載のジューサーの構造。
【請求項６】
前記弾性部品を圧縮スプリングとしたことを特徴とする請求項４記載のジューサーの構造。
【請求項７】
果物野菜など調理する食物を入れる収容ユニット２、食物を切削する切削ユニット３、切削ユニットを駆動する動力ユニット４からなり、
切削ユニットは、カッター３２及び動力ユニットと接続する嵌合部３１を具えて、該カッターを収容ユニット内に設置し、及び
動力ユニットを該切削ユニットと嵌合し、該動力ユニットにカバー４０１、台座４０２、駆動部品４、第一歯車４２、第二歯車４３、スライドブロック４４、弾性部品４５、螺旋棒４６、回転棒４７、片方向ベアリング４８及びスタンド４９を具有し、
前記カバー４０１の片側にスリット４０３を設けて手動操作する駆動部品４１を該スリットを通して外部に出し、
カバー４０１と台座４０２を接続して収容スペースを形成し、駆動部品４１と第一歯車４２、第二歯車４３、スライドブロック４４、弾性部品４５、螺旋棒４６、回転棒４７、片方向ベアリング４８及びスタンド４９を収容し、
前記スタンド４９を台座４０２の端に近隣する位置に設置し、螺旋棒４６をカバー４０１と台座４０２の間に設置し、片端はスタンド４９と反対端の台座に位置し、
前記回転棒は同じくカバー４０１と台座４０２の間に設置し、スタンド４９と螺旋棒４６の間に位置し、該回転棒４７の頂部はカバー４０１を突き抜けて、片方向ベアリング４８と接続し、及び、
該片方向ベアリング４８は切削ユニット３の嵌合部３１と嵌合して連動し、及び、
前記弾性部品４５を該螺旋棒４６の外側に設置し、該弾性部品の両端はそれぞれ該台座及び該スライドブロックと抵触し、
該スライドブロック４４はブロック本体４４１、接続部４４２及びねじ穴４４３を具有し、該接続部４４２はブロック本体４４１からスタンド４９の片端に向けて、且つ駆動部品４１の軸方向と平行して伸び、ねじ穴４４３はブロック本体４４１のスタンド４９の反対側に垂直に設置し、スライドブロック４４はねじ穴４４３によって螺旋棒４６に螺合すると共に、弾性部品４５と抵触し、
前記駆動部品４１は柄本体４１１及びプッシュ部４１２を具有し、柄本体４１１は接続端４１１１、穴４１１２、連接端４１１３及び凸ブロック４１１４を具有し、
前記接続端４１１１は、ピンBを介して回転可能にスタンド４９と接続すると共に回転棒４７を挿通し、
前記穴４１１２に螺旋棒４６を通し、同時にブロック本体４４１を柄本体４１１の穴４１１２の両サイドに抵触し、連接端４１１３はカバー４０１のスリット４０３を通り、プッシュ部４１２と連接し、
前記凸ブロック４１１４はスライドブロック４４の接続部４４２と対応して設置し相互に掛合し、及び、
前記第一歯車４２に螺旋棒４６を通し、駆動部品４１の上方に位置し、該第一歯車４２は螺旋棒４６と連動し、該第二歯車４３に回転棒４７を通し、該第二歯車４３と回転棒４７は連動し、且つ該第一歯車と第二歯車は互いに噛合し、プッシュ部を上下に手動操作することによって、その上下操作運動を動力部を介して回転運動に替えて該切削ユニットの回転を駆動することを特徴とするジューサーの構造。
【請求項８】
前記収容ユニットは、果物野菜など調理する食物を入れるカップ本体、カップ本体２１の片側外部の壁面に設置した握り手、外蓋及び接続台を具有し、
外蓋２３をカップ本体２１の頂上に蓋合し、接続台２４をカップ本体２１の底部に設置し、動力ユニット４と嵌合して固定するようにしたことを特徴とする請求項７記載のジューサーの構造。
【請求項９】
前記切削ユニット３は、嵌合部３１及びカッター３２を具有して接続台２４の中に設置し、該カッターをカップ本体２１内に配置し、嵌合部３１は動力ユニット４と嵌合して連動することで、動力ユニット４によって切削ユニット３のカッター３２が回転し、カップ本体２１内の果物野菜など調理する食物を切削することを特徴とする請求項８記載のジューサーの構造。
【請求項１０】
前記第一歯車の半径は該第二歯車の半径より大きいことを特徴とする請求項７記載のジューサーの構造。
【請求項１１】
前記弾性部品を圧縮スプリングとしたことを特徴とする請求項７記載のジューサーの構造。
【考案の詳細な説明】
【技術分野】
【０００１】
本考案は手動式ジューサーの構造に関し、特に手動で上下にプッシュ部を押すことで、果物や野菜など調理する食物を切削するジューサーの構造に関する。
【背景技術】
【０００２】
従来技術のジューサーは果物や野菜などの食物を切削するのが主な機能であり、全てモーターで動かしている。迅速に作業を行うことはできるが、一般的に水気の多い厨房で使用するため、感電する危険性がある。更に、モーターも重量が重く、使用する際に電力を使うため、ユーザーにとって、使用する環境、及び携帯する際に不便であり、更なる改善が必要であった。
【先行技術文献】
【特許文献】
【０００３】
【特許文献１】特開昭５９−１９４７１３号公報
【考案の概要】
【考案が解決しようとする課題】
【０００４】
前記従来技術の欠点を解決するために、本考案は構造がシンプル、且つ重量が軽く、ユーザーが手動で使用でき、及び携帯しやすい手動式ジューサーを提供することを主な課題とする。
【課題を解決するための手段】
【０００５】
前記課題を解決するために、本考案は手動式ジューサーを提供する。その構成は、収容ユニットと切削ユニット、動力ユニットからなる。該収容ユニットに調理物を入れ、切削ユニットの一部を該収容ユニット内にセットする。該動力ユニットは、切削ユニットと嵌合して接続し、プッシュ部を具有し、それを手動で押すことで、該切削ユニットの回転を駆動する。
【０００６】
該動力ユニットに含まれるのは、カバー、台座、駆動部品、第一歯車、第二歯車、スライドブロック、弾性部品、螺旋棒、回転棒、片方向ベアリング及びスタンドである。カバー４０１の片側にスリット４０３を具有し、駆動部品４１を通す。カバー４０１と台座４０２を接続することで収容スペースができ、一部の駆動部品４１と第一歯車４２、第二歯車４３、スライドブロック４４、弾性部品４５、螺旋棒４６、回転棒４７、片方向ベアリング４８及びスタンド４９を収容する。スタンド４９を台座４０２の端に近隣する位置に設置し、螺旋棒４６をカバー４０１と台座４０２の間に設置し、片端はスタンド４９と反対端の台座に位置する。回転棒は同じくカバー４０１と台座４０２の間に設置し、スタンド４９と螺旋棒４６の間に位置する。該回転棒４７の頂部はカバー４０１を突き抜けて、片方向ベアリング４８と接続する。片方向ベアリング４８は切削ユニット３の嵌合部３１と嵌合して連動する。該スライドブロック４４はブロック本体４４１、接続部４４２及びねじ穴４４３を具有し、該接続部４４２はブロック本体４４１からスタンド４９の片端に向けて、且つ駆動部品４１の軸方向と平行して伸び、ねじ穴４４３はブロック本体４４１のスタンド４９の反対側に垂直に設置する。スライドブロック４４はねじ穴４４３を使って螺旋棒４６に螺合し、弾性部品４５と抵触する。弾性部品４５の両端はそれぞれ台座４０２及びスライドブロック４４と抵触する。駆動部品４１は柄本体４１１及びプッシュ部４１２を具有し、柄本体４１１は接続端４１１１、穴４１１２、連接端４１１３及び凸ブロック４１１４を具有する。該接続端４１１１はピンBを使って、回転可能にスタンド４９と接続し、回転棒４７を通す。穴４１１２に螺旋棒４６を通し、同時にブロック本体４４１を柄本体４１１の穴４１１２の両サイドに抵触し、連接端４１１３はカバー４０１のスリット４０３を通り、プッシュ部４１２と連接する。該凸ブロック４１１４はスライドブロック４４の接続部４４２と対応して設置し、互いに掛合する。第一歯車４２に螺旋棒４６を通し、駆動部品４１の上方に位置し、該第一歯車４２は螺旋棒４６と連動する。該第二歯車４３に回転棒４７を通し、該第二歯車４３と回転棒４７は連動する。該第一歯車と第二歯車は互いに噛合する。
【考案の効果】
【０００７】
本考案の手動タイプのジューサーの切削ユニットは、プッシュ部を具有する動力ユニットと嵌合し、ユーザーが手動で上下にプッシュ部を押すことで、切削ユニットの回転を駆動し、果物や野菜など調理する食物を切削することができる。電力を利用できない環境にて手動で操作することができ、構造がシンプル且つユーザーが操作や携帯に便である。
【図面の簡単な説明】
【０００８】
【図１】本考案における手動式タイプジューサーの立体組立図である。
【図２】本考案における手動式タイプジューサーの部分分解図である。
【図３】本考案における手動式タイプジューサーの断面図である。
【図４】本考案における手動式タイプジューサーの動力ユニットの分解図である。
【図５】本考案における手動式タイプジューサーの動力ユニットの一部分解図である。
【図６】本考案における手動式タイプジューサーの動力ユニットの一部組立図である。
【図７】本考案における手動式タイプジューサーの動力ユニットの一部透視図である。
【図８】本考案における手動式タイプジューサーの動力ユニットの断面図である。
【図９】本考案における手動式タイプジューサーの動力ユニットの動作略図である。
【図１０】本考案における手動式タイプジューサーの異なるサイズの収容ユニットの断面図である。
【考案を実施するための形態】
【０００９】
本考案による手動式タイプジューサーの構造を明確に示すために図に沿って詳細な説明を行う。
【００１０】
図１に示すのは、本考案における手動式ジューサーの立体組立図である。図２に示すのは、本考案における手動式ジューサーの一部分解図である。図３に示すのは、本考案における手動式ジューサーの断面図である。
【００１１】
本考案のジューサーは、収容ユニット２、切削ユニット３及び動力ユニット４を具える。
【００１２】
収容ユニット２は、カップ本体２１、握り手２２、外蓋２３及び接続台２４を具える。カップ本体２１は、果物野菜など調理する食物を入れ、図３及び図１０に示すように、カップ本体２１は異なるサイズとすることができる。握り手２２をカップ本体２１の片側の壁面外部に設置する。外蓋２３をカップ本体２１の頂上に蓋合し、食物を調理(切削)する際に、外に漏れるのを回避する。接続台２４をカップ本体２１の底部に設置し、動力ユニット４と嵌合して固定する。
【００１３】
切削ユニット３を接続台２４の中に設置し、嵌合部３１及び複数のカッター３２を具有する。カッターをカップ本体２１内に設置し、嵌合部３１は動力ユニット４と嵌合して連動することで、動力ユニット４によって切削ユニット３のカッター３２が回転し、カップ本体２１内の果物野菜などの調理する食物を切削する。
【００１４】
図４に示すのは本考案における手動式ジューサーの動力ユニットの分解図であり、図５に示すのは、本考案における手動式ジューサーの動力ユニットの一部分解図である。図６に示すのは、本考案における手動式ジューサーの動力ユニットの一部組立図であり、図７に示すのは、本考案における手動式ジューサーの動力ユニットの一部透視図である。図８に示すのは、本考案における手動式ジューサーの動力ユニットの断面図である。
【００１５】
動力ユニット４は、カバー４０１、台座４０２、駆動部品４１、第一歯車４２、第二歯車４３、スライドブロック４４、弾性部品４５、螺旋棒４６、回転棒４７、片方向ベアリング４８及びスタンド４９を具有する。
【００１６】
カバー４０１の片側にスリット４０３を形成し、駆動部品４１を通す。カバー４０１と台座４０２を接続して収容スペースを形成し、一部の駆動部品４１と第一歯車４２、第二歯車４３、スライドブロック４４、弾性部品４５、螺旋棒４６、回転棒４７、片方向ベアリング４８及びスタンド４９を収容する。
【００１７】
スタンド４９を台座４０２の端近くの位置に設置し、螺旋棒４６をカバー４０１と台座４０２の間に設置し、片端はスタンド４９と反対端の台座に位置する。回転棒は同じくカバー４０１と台座４０２の間に設置し、スタンド４９と螺旋棒４６の間に位置する。該回転棒４７の頂部はカバー４０１を突き抜けて、片方向ベアリング４８と接続する。片方向ベアリング４８は切削ユニット３の嵌合部３１と嵌合して連動することで、回転棒４７を片方向のみに回転させる。該弾性部品４５をスプリングとしてもよく、該螺旋棒４６の外側に嵌めて設置する。
【００１８】
該スライドブロック４４は、ブロック本体４４１、接続部４４２及びねじ穴４４３を具有し、該接続部４４２はブロック本体４４１からスタンド４９の片端に向けて、且つ駆動部品４１の軸方向と平行して伸び、ねじ穴４４３はブロック本体４４１のスタンド４９の反対側に垂直に設置する。スライドブロック４４はねじ穴４４３により螺旋棒４６に螺合し、弾性部品４５と接する。弾性部品４５の両端はそれぞれ台座４０２及びスライドブロック４４と抵触する。
【００１９】
該駆動部品４１は、柄本体４１１及びプッシュ部４１２を具有し、柄本体４１１は接続端４１１１、穴４１１２、連接端４１１３及び凸ブロック４１１４を具有する。該接続端４１１１は、ピンBを介して回転可能にスタンド４９と接続し、回転棒４７を通す。穴４１１２に螺旋棒４６を通し、同時にブロック本体４４１を柄４１１の穴４１１２の両サイドに抵触し、連接端４１１３はカバー４０１のスリット４０３を挿通してプッシュ部４１２と連結する。該凸ブロック４１１４はスライドブロック４４の接続部４４２と対応して設置し、互いに掛合する。
【００２０】
駆動部品４１の上方に位置して第一歯車４２中心に螺旋棒４６を通し、第一歯車４２を螺旋棒４６と連動する。第二歯車４３中心に回転棒４７を通し、第二歯車４３と回転棒４７を連動する。該第一歯車４２の半径は第二歯車４３の半径より大きく、該第一歯車と第二歯車は互いに噛合する。
【００２１】
図９に示すのは、本考案における手動式タイプジューサーの動力ユニットの動作略図である。ユーザーが下向きにプッシュ部４１２を押すと、接続端４１１１を支点として、プッシュ部４１２を操作の力点として上下に操作する。この時、柄本体４１１の穴４１１２の両サイドがスライドブロック４４を下向きに押し下げて、スライドブロック４４が更に下向きに弾性部品４５を圧縮する。この時、接続部４４２と凸ブロック４１１４が互いに掛合してスライドブロックが下方に押し下げられるため、スライドブロック４４のねじ穴４４３によって螺旋棒４６が回転し、第一歯車４２も螺旋棒４６と連動する。
【００２２】
第一歯車４２と第二歯車４３は互いに噛合するために、第一歯車４２が回転することで第二歯車４３も回転して、同時に回転棒４７を連動する。回転棒４７の回転により嵌合部３１を動かすと同時に、カッター３２の回転を駆動し、果物野菜など調理する食物を切削する。
【００２３】
ユーザーがプッシュ部４１２から手を離すと、回転棒４７の片方向ベアリング４８により、切削ユニット３のカッター３２が持続して単一方向(例えば時計周りとすることができるが、それに限られない)に回転し、果物野菜など調理する食物を切削する。
【符号の説明】
【００２４】
１  ジューサー
２  収容ユニット
２１  カップ本体
２２  握り手
２３  外蓋
２４  接続台
３  切削ユニット
３１  嵌合部
３２  カッター
４  動力ユニット
４０１  カバー
４０２  台座
４０３  スリット
４１  駆動部品
４１１  柄本体
４１１１  接続端
４１１２  穴
４１１３  連接端
４１１４  凸ブロック
４１２  プッシュ部
４２  第一歯車
４３  第二歯車
４４  スライドブロック
４４１  ブロック本体
４４２  接続部
４４３  ねじ穴
４５  弾性部品
４６  螺旋棒
４７  回転棒
４８  片方向ベアリング
４９  スタンド
B  ピン
【図１】
0003163608.tif 000003
【図２】
0003163608.tif 000004
【図３】
0003163608.tif 000005
【図４】
0003163608.tif 000006
【図５】
0003163608.tif 000007
【図６】
0003163608.tif 000008
【図７】
0003163608.tif 000009
【図８】
0003163608.tif 000010
【図９】
0003163608.tif 000011
【図１０】
0003163608.tif 000012